(57)【要約】【課題】  櫛付き容器を簡易化して、不使用時には櫛を倒して小形化できると共に液洩れすることのない、携帯にも便利な容器とした。【解決手段】  口頸部４を起立する容器体１と、口頸部内へ嵌合させた、吐出弁11と、容器体口頸部へ嵌合させたキャップ21とで形成し、キャップ21は、キャップ本体21ａと、該本体後部へ薄肉ヒンジ27で連結されてキャップ本体の頂板上面を覆合する蓋板21ｂとで形成し、蓋板21ｂは後方から第１、第２、第３、第４区分して、第１区分28は頂板後部へ固定し、第３区分30は吐出弁11上方頂板部分に穿設の注出口25開閉用板部に、第４区分31は櫛31ａに、第２区分29は第１区分と第３区分とを連結する弾性板29ａと第３区分から後方突出する脚板29ｂとで形成し、第４区分31押上げで脚板29ｂを介して第３、第４区分が頂板22上へ起立可能に形成した。【選択図】  図１
2005144046.tif 000002
【特許請求の範囲】
【請求項１】
口頸部４を起立する容器体１と、口頸部内へ嵌合させた吐出弁11と、キャップ21とからなり、
キャップ21は、頂板22から垂下させた内筒23を口頸部４へ嵌合するキャップ本体21ａと、頂板後部へ薄肉ヒンジ27で連結されて頂板上面を覆合する蓋板21ｂとで形成し、
蓋板21ｂは後方から前方へ第１、第２、第３、第４区分して、第１区分28は頂板後部上面へ固定させ、第３区分30は上記吐出弁11上方頂板部分に穿設した注出口25の開閉部付き板部に、第４区分31は第３区分前面から突出する櫛歯列で形成した櫛31ａに、第２区分29は第１区分28と第３区分30とを連結する弾性板29ａと第３区分30から後方突出する脚板29ｂとで形成し、
上記第４区分31の前端部押上げで脚板29ｂ後端面が頂板22上面へ圧接して、第３、第４区分30、31が起立可能に形成した
ことを特徴とする櫛付き容器。
【請求項２】
上記頂板22の左右両側部を隆起させてこれ等両隆起26間の頂板部分上面を蓋板の覆合部分となし、又弾性板29ａ前端と第３区分30後端との間に肉薄ヒンジ32を介在させた
ことを特徴とする請求項１記載の櫛付き容器。
【請求項３】
第１区分28前部から頂板22後部へ貫通させて脚棒28ａを垂下し、該脚棒下端へ付設した逆刺28ｂを頂板22下面へ係合させた
ことを特徴とする、請求項１又は２記載の櫛付き容器。
【発明の詳細な説明】
【技術分野】
【０００１】
本発明は櫛付き容器に関する。
【背景技術】
【０００２】
容器体口頸部に、櫛柄下端に付設した筒部を嵌合させ、容器体内液体が櫛柄内を通り、又櫛歯内を通って流出するよう設けた櫛付き容器が知られている（特許文献１）。
【特許文献１】特開２００２−８５１４６号公報
【発明の開示】
【発明が解決しようとする課題】
【０００３】
本発明は上記櫛付き容器を、容器体と該容器体へ嵌合させる櫛付きキャップとで形成し、その櫛付きキャップを合成樹脂材による一体成形が容易で、櫛を起伏自在として小形化し、液洩れもなく、携帯にも便利な容器としたものである。
【課題を解決するための手段】
【０００４】
第１の手段として、口頸部４を起立する容器体１と、口頸部内へ嵌合させた吐出弁11と、キャップ21とからなり、
キャップ21は、頂板22から垂下させた内筒23を口頸部４へ嵌合するキャップ本体21ａと、頂板後部へ薄肉ヒンジ27で連結されて頂板上面を覆合する蓋板21ｂとで形成し、
蓋板21ｂは後方から前方へ第１、第２、第３、第４区分して、第１区分28は頂板後部上面へ固定させ、第３区分30は上記吐出弁11上方頂板部分に穿設した注出口25の開閉部付き板部に、第４区分31は第３区分前面から突出する櫛歯列で形成した櫛31ａに、第２区分29は第１区分28と第３区分30とを連結する弾性板29ａと第３区分30から後方突出する脚板29ｂとで形成し、
上記第４区分31の前端部押上げで脚板29ｂ後端面が頂板22上面へ圧接して、第３、第４区分30、31が起立可能に形成した。
【０００５】
第２の手段として、上記第１の手段を有すると共に上記頂板22の左右両側部を隆起させてこれ等両隆起26間の頂板部分上面を蓋板の覆合部分となし、又弾性板29ａ前端と第３区分30後端との間に肉薄ヒンジ32を介在させた。
【０００６】
第３の手段として、上記第１又は第２の手段を有すると共に第１区分28前部から頂板22後部へ貫通させて脚棒28ａを垂下し、該脚棒下端へ付設した逆刺28ｂを頂板22下面へ係合させた。
【発明の効果】
【０００７】
請求項１記載のようにすることで、容器体１は普通に用いられている容器体を用いることが出来、よって櫛付き容器として特別の容器体作成用の金型は不要であり、又櫛付きキャップは、蓋体21ｂをキャップ本体21ａ後方へ突出させた状態で一体成形した後、蓋体21ｂをキャップ本体上へ折返して付着させればよいからその成形が容易で従って廉価に作成することが出来る。又容器体口頸部上方を閉塞する頂板部分に穿設した注出口25の開閉も、蓋体の第３、第４区分30、31の起伏で行うことが出来て便利である。
【０００８】
請求項２のようにすることで、閉蓋時におけるキャップ本体21ａに対する蓋体21ｂの位置決めが確実となり、注出口25と該注出口閉塞部との位置決めも又容易となり、弾性板29ａ前端と第３区分30後端との間に肉薄ヒンジ32を設けることで、開蓋時における第３、第４区分30、31の起立も容易となる。
【０００９】
請求項３のようにすることで、キャップ本体頂板後部に対する蓋板第１区分28の固定が容易かつ確実とすることが出来る。
【発明を実施するための最良の形態】
【００１０】
以下図面について説明すると、１は胴部２上端から肩部３を介して口頸部４を起立する容器体で、その口頸部は雄ねじ筒に形成している。
【００１１】
11は口頸部４内へ嵌合させる、吐出弁で、図示例では公知のスリット弁12とし、図５で示すように十字状ないしＹ字状等にスリット13を穿設した弾性板14外周を口頸部上端面へ載置させて、その載置部分内方から垂下させた筒部15を口頸部内面へ嵌合させ、胴部圧搾により容器内が高圧化すると、上記スリットが形成する各角状片16が弾性に抗して押上げられて注出孔を形成し、又高圧化解消で角状片が弾性復元して注出孔は閉じるよう設けたものである。
【００１２】
21はキャップで、該キャップはキャップ本体21ａと蓋体21ｂとからなり、キャップ本体21ａは、上記スリット弁12上面を覆う頂板22から口頸部４へ螺合させた内筒23を垂下し、又頂板22外周から外筒24を垂下する。スリット弁上面を覆う頂板部分には注出口25を穿設しており、頂板22の左右両部は図３が示すように隆起26させるとよい。頂板後端と注出口との間には透孔22ａを穿設し、該透孔と注出口との間上面には前後１対の係合突子22ｂを付設している。尚１対の係合突子に代えて係合突子間の頂板上面部分を左右方向への浅溝としてもよい。これ等については後述する。
【００１３】
蓋体21ｂは、上記頂板22後端部に薄肉ヒンジ27で一体に連結させており、キャップ本体21ａの頂板22上面を覆合する。該蓋板は後方から前方へ、図４が示すように第１、第２、第３、第４の４部分28、29、30、31に区分しており、第１区分28は頂板22上面へ固定させ、第３区分30は既述注出口25の開閉部付き板部とし、第４区分31は第３区分30前面から平行に複数前方突出する櫛歯列で形成した櫛とし、第２区分29は第１区分と第３区分後面とを連結する弾性板29ａと、第３区分後面から後方突出する脚板29ｂとで形成する。
【００１４】
第１区分28の固定はどのように行ってもよいが、図示例では第１区分前部から頂板22後部の透孔22ａへ貫通させて脚棒28ａを垂下し、該脚棒下端へ付設した逆刺28ｂを頂板22下面へ係合させている。
【００１５】
図示例で第２区分の弾性板29ａは、図２が示すように左右両側へ設け、脚板29ｂは左右方向中間に設けているが、左右両側を脚板とし、中間を弾性板としてもよく、それ等脚板および弾性板をそれぞれ複数とすることが出来る。弾性板前端と第３区分30後端とは肉薄ヒンジ32で連結するとよい。図示例では第３区分30の注出口開閉部として筒状栓30ａを垂下している。尚図示例では第３区分30および第２区分29の脚板29ｂ上面を、外周部を残して凹部33としている。
【００１６】
上記櫛付き容器使用の際は、図１が示すように櫛歯としての第４区分前端を上方へ押上げる。すると第３区分30および脚板29b も共に肉薄ヒンジ29b を中心として、弾性板29a を弾性変形させ乍ら回動し、脚板29b 後端面が既述１対の係合突子22b 間へ、ないしそれ等両係合突子に代えて穿設した浅溝内へ嵌合して起立する。該状態で容器を傾けかつ胴部を弾性圧搾させてスリット弁12を開き、注出口25から容器体内液体を流出させ、頭髪に流出液体を付着させて櫛を形成する第４区分31で整髪する。尚上記スリット弁12は胴部圧搾を解放することで閉弁するから、容器を傾けてもそのスリット弁が開くことはなく、よって液洩れすることはない。
【００１７】
櫛使用後は第３、第４区分30、31を倒し、筒状栓30ａを注出口25内へ嵌合させる。該状態で筒状栓下端面がスリット弁12上面へ接し、よって該状態では胴部２を圧搾してもスリット弁12は開弁せず、よって液体の注出は不能となる。
【図面の簡単な説明】
【００１８】
【図１】櫛起立状態で示す、本発明容器の断面図である。
【図２】図１容器の平面図である。
【図３】図２Ａ−Ａ線を矢示方向へみた断面図である。
【図４】キャップ本体に対して蓋板を開いた状態で示す、容器の断面図である。
【図５】容器に使用する、スリット弁付き栓の拡大斜視図である。
【符号の説明】
【００１９】
１    容器体                          11    吐出弁
12    スリット弁                      13    スリット
16    角状片                          21    キャップ
21ａ  キャップ本体                    21ｂ  蓋体
25    注出口                          27    薄肉ヒンジ
28    第１区分                        29    第２区分
30    第３区分                        31    第４区分
【図１】
2005144046.tif 000003
【図２】
2005144046.tif 000004
【図３】
2005144046.tif 000005
【図４】
2005144046.tif 000006
【図５】
2005144046.tif 000007